(57)【要約】【課題】  本発明は利用者が所望する独自の絵柄を描くことができ、自由な発想による着色を確保することができるとともに、使用者の所望する用紙、場所に、大きさに関係なく容易に転写し、種々の塗り絵の楽しみ方を提供することができる塗り絵等の作成方法および塗り絵等の作成用具を得るにある。【解決手段】  絵や文字等の転写用模様が描かれたあるいは複写された下絵用紙の裏面を、該転写用模様の形状や輪郭等を映すことができるように処理する転写準備工程と、この転写準備工程で処理した前記下絵用紙の裏面を、使用者が描きたい転写用紙の上に重ねて、前記下絵用紙の表面から転写用模様をなぞって、該転写用模様を該転写用紙に汚れなく修正可能な状態で転写する転写工程と、この転写工程で転写された塗り絵や文字等の前記転写用模様に色付けや清書等を施し、転写用模様以外の部位を消し、該転写用模様を完成させる塗り絵完成工程とで塗り絵等の作成方法を構成している。【選択図】図１
2007140421.tif 000002
【特許請求の範囲】
【請求項１】
絵や文字等の転写用模様が描かれたあるいは複写された下絵用紙の裏面を、該転写用模様の形状や輪郭等を映すことができるように処理する転写準備工程と、この転写準備工程で処理した前記下絵用紙の裏面を、使用者が描きたい転写用紙の上に重ねて、前記下絵用紙の表面から転写用模様をなぞって、該転写用模様を該転写用紙に汚れなく修正可能な状態で転写する転写工程と、この転写工程で転写された塗り絵や文字等の前記転写用模様に色付けや清書等を施し、転写用模様以外の部位を消し、該転写用模様を完成させる塗り絵完成工程とを備えることを特徴とする塗り絵等の作成方法。
【請求項２】
絵や文字等の転写用模様を拡大や縮小等をして下絵用紙に描くあるいは複写する下絵準備工程と、絵や文字等の転写用模様が描かれたあるいは複写された下絵用紙の裏面を、該転写用模様の形状や輪郭等を映すことができるように処理する転写準備工程と、この転写準備工程で処理した前記下絵用紙の裏面を、使用者が描きたい転写用紙の上に重ねて、前記下絵用紙の表面から転写用模様をなぞって、該転写用模様を該転写用紙に汚れなく修正可能な状態で転写する転写工程と、この転写工程で転写された塗り絵や文字等の前記転写用模様に色付けや清書等を施し、転写用模様以外の部位を消し、該転写用模様を完成させる塗り絵完成工程とを備えることを特徴とする塗り絵等の作成方法。
【請求項３】
前記転写準備工程は、絵や文字等の転写用模様が描かれたあるいは複写された下絵用紙を裏にして、塗り絵等の作成用具の処理板の上に固定状態で置き、該転写用模様の形状や輪郭等を映すことができるように鉛筆でこすることを特徴とする請求項第１項、第２項のいずれかに記載の塗り絵等の作成方法。
【請求項４】
前記転写工程は、前記転写準備工程で、塗り絵等の作成用具の処理板の上に固定状態で置かれた、使用者が描きたい転写用紙の上に、処理した前記下絵用紙の裏面重ねて、前記下絵用紙の表面から転写用模様上を、塗り絵等の作成用具のペンや複写ペン等の複写具でなぞって、該転写用模様を該転写用紙に汚れなく修正可能な状態で転写することを特徴とする請求項第１項、第２項のいずれかに記載の塗り絵等の作成方法。
【請求項５】
前記下絵準備工程は、絵や文字等の転写用模様を拡大や縮小等をして複数枚の下絵用紙に描くあるいは複写することを特徴とする請求項第１項、第２項のいずれかに記載の塗り絵等の作成方法。
【請求項６】
塗り絵等の作成方法の、絵や文字等の転写用模様が描かれたあるいは複写された下絵用紙を固定状態で置き、下絵用紙の裏面を、該転写用模様の形状や輪郭等を映すことができるように処理できる処理板と、この処理板に設けられた、下絵用紙や転写用紙を固定的に取り付けることが固定具と、下絵用紙の表面から転写用模様上をなぞり、該転写用模様を該転写用紙に汚れなく修正可能な状態で転写するペンや複写ペン等の複写具とからなる塗り絵等の作成用具。
【請求項７】
前記処理板は、下絵用紙の裏面を該転写用模様の形状や輪郭等を映すことができる、光を反射しやすい色で形成されていることを特徴とする請求項第６項に記載の塗り絵等の作成用具。
【請求項８】
複写具は、前記下絵用紙を汚さずに何回も使用できるように、インクの出ないペンあるいはインクが入っていないペンであることを特徴とする請求項第６項に記載の塗り絵等の作成用具。
【発明の詳細な説明】
【技術分野】
【０００１】  本発明は塗り絵等の作成方法および塗り絵等の作成用具に関する。
【背景技術】
【０００２】  従来の塗り絵は、下絵として元となる絵の外縁部のみが着色可能なシートに表示されている。すなわち、縁取りした部分のみが表示され、その中に好きな色を塗っていくものである。【０００３】  したがって、従来の塗り絵は、既に下絵（図案）が所定の用紙に印刷がなされているもので、その下絵に着色するだけで、独自の図案に着色を施してオリジナルの着色絵画や図柄を完成させる趣向の塗り絵としては利用できないという欠点があった。また、印刷された所定の図案に手を加えたり、すなわち、塗り絵をする人の趣向でデザインを変更することは不可能であり、下絵の印刷された輪郭線等が残ってしまい、塗り絵としての興味を誘引することができないという欠点があった。
【特許文献１】  特になし
【発明の開示】
【発明が解決しようとする課題】
【０００４】  本発明は以上のような従来の欠点に鑑み、利用者が所望する独自の絵柄を描くことができ、自由な発想による着色を確保することができるとともに、使用者の所望する用紙、場所に、大きさに関係なく容易に転写し、種々の塗り絵の楽しみ方を提供することができる塗り絵等の作成方法および塗り絵等の作成用具を提供することを目的とする。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、本発明は、絵や文字等の転写用模様が描かれたあるいは複写された下絵用紙の裏面を、該転写用模様の形状や輪郭等を映すことができるように処理する転写準備工程と、この転写準備工程で処理した前記下絵用紙の裏面を、使用者が描きたい転写用紙の上に重ねて、前記下絵用紙の表面から転写用模様をなぞって、該転写用模様を該転写用紙に汚れなく修正可能な状態で転写する転写工程と、この転写工程で転写された塗り絵や文字等の前記転写用模様に色付けや清書等を施し、転写用模様以外の部位を消し、該転写用模様を完成させる塗り絵完成工程とを塗り絵等の作成方法は備えている。【０００７】  また、本発明は、塗り絵等の作成方法の、絵や文字等の転写用模様が描かれたあるいは複写された下絵用紙を固定状態で置き、下絵用紙の裏面を、該転写用模様の形状や輪郭等を映すことができるように処理できる処理板と、この処理板に設けられた、下絵用紙や転写用紙を固定的に取り付けることが固定具と、下絵用紙の表面から転写用模様上をなぞり、該転写用模様を該転写用紙に汚れなく修正可能な状態で転写するペンや複写ペン等の複写具とで塗り絵等の作成用具を構成している。
【発明の効果】
【０００８】  以下の説明から明らかなように、本発明にあっては次に列挙する効果が得られる。【０００９】（１）絵や文字等の転写用模様が描かれたあるいは複写された下絵用紙の裏面を、該転写用模様の形状や輪郭等を映すことができるように処理する転写準備工程と、この転写準備工程で処理した前記下絵用紙の裏面を、使用者が描きたい転写用紙の上に重ねて、前記下絵用紙の表面から転写用模様をなぞって、該転写用模様を該転写用紙に汚れなく修正可能な状態で転写する転写工程とを備えているので、転写用紙に余計な汚れを付着させることなく、転写用模様を転写することができとともに、転写後に使用者が修正して該転写用模様を変化させることができる。
したがって、利用者が所望する独自の絵柄を描くことができ、自由な発想による着色を確保することができる。【００１０】（２）転写準備工程で処理した前記下絵用紙の裏面を、使用者が描きたい転写用紙の上に重ねて、前記下絵用紙の表面から転写用模様をなぞって、該転写用模様を該転写用紙に汚れなく修正可能な状態で転写する転写工程と、この転写工程で転写された塗り絵や文字等の前記転写用模様に色付けや清書等を施し、転写用模様以外の部位を消し、該転写用模様を完成させる塗り絵完成工程とを備えているので、転写用紙に転写用模様を修正可能な状態で転写し、塗り絵を完成させた後に余分な線や図柄を削除して、塗り絵をきれいに完成することができる。
したがって、転写した後でも、最終的に完成させたい塗り絵を効率よく残したり、変化させることができる。【００１１】（３）請求項２も前記（１）および（２）と同様の効果が得られるとともに、絵や文字等の転写用模様を拡大や縮小等をして下絵用紙に描くあるいは複写する下絵準備工程を備えているので、使用者の所望する用紙、場所に、大きさに関係なく容易に転写することができる。
したがって、種々の塗り絵の楽しみ方を使用者に提供することができる。【００１２】（４）請求項２〜４も前記（１）〜（３）と同様の効果が得られる。【００１３】（５）請求項５も前記（１）〜（３）と同様の効果が得られるとともに、使用者の所望する、あるいは完成で、様々な転写用模様を並べたり、重ねたり等をして、多様な塗りを完成させることができ、種々の塗り絵の楽しみ方を使用者に提供することができる。【００１４】（６）塗り絵等の作成方法の、絵や文字等の転写用模様が描かれたあるいは複写された下絵用紙を固定状態で置き、下絵用紙の裏面を、該転写用模様の形状や輪郭等を映すことができるように処理できる処理板と、この処理板に設けられた、下絵用紙や転写用紙を固定的に取り付けることが固定具と、下絵用紙の表面から転写用模様上をなぞり、該転写用模様を該転写用紙に汚れなく修正可能な状態で転写するペンや複写ペン等の複写具とで構成されているので、特別な道具を準備することなく、転写用紙に転写用模様を修正可能な状態で転写し、塗り絵を完成させた後に余分な線や図柄を削除して、塗り絵をきれいに完成することができるとともに、構造が簡単であるので、安価に製造することができ、コストの低減を効率よく図ることができる。【００１５】（７）請求項７および８も前記（６）と同様の効果が得られる。
【発明を実施するための最良の形態】
【００１６】  以下、図面に示す実施するための最良の形態により、本発明を詳細に説明する。
【実施例１】
【００１７】  図１ないし図８に示す本発明の第１の実施するための最良の第１の形態において、絵や文字、記号等の転写用模様１を、複写機２等を利用して拡大や縮小等をして下絵用紙３に描くあるいは複写する下絵準備工程４と、絵や文字等の前記転写用模様１が描かれたあるいは複写された前記下絵用紙３を裏にして、塗り絵等の作成用具５の処理板６の上に固定状態で置き、該転写用模様１の形状や輪郭等を映すことができるように鉛筆７でこすって処理する転写準備工程８と、この転写準備工程８で処理した前記下絵用紙３の裏面を、塗り絵等の前記作成用具５の前記処理板６の上に固定状態で置かれた使用者が描きたい転写用紙９の上に重ねて、前記下絵用紙３の表面から前記転写用模様１の輪郭線や形状等の上を塗り絵等の前記作成用具５のペンや複写ペン等の複写具１０でなぞって、該転写用模様１を該転写用紙９に汚れなく修正可能な状態で転写する転写工程１１と、この転写工程１１で転写された塗り絵や文字等の前記転写用模様１に色付けや清書等を施し、処理された転写用模様１以外の部位を消しゴム１２で消し、該転写用模様を完成させる塗り絵完成工程１３とを備えている。【００１８】  前記下絵用紙３は、前記転写用模様１に対応し得る大きさで、例えばコピー用紙やトレーシングペーパ等を使用し、葉書、Ａ４、半紙等の様々な大きさの用紙を使用することができる。すなわち、複写機２等を利用してコピーできれば良いということになる。また、前記転写用模様１を手書きで描いてもよく、手書きの転写用模様をコピーしたものを使用することもできる。
また、前記転写用模様１は、使用者の所望する模様を任意に選択することができる。
また、前記転写準備工程８では、前記鉛筆７でこすって転写する方法を用いたものについて説明したが、本発明はこれに限らず、前記下絵用紙３の裏面部位にカーボン用紙を挟み込んでもよい。さらに、前記下絵用紙３は、本実施例では塗り絵等の作成用具５の処理板６の上に置いて鉛筆７でこする転写準備工程８を説明したが、本発明はこれに限らず、例えば白地の紙の上に前記下絵用紙３を置いて鉛筆７でこする処理をしてもよい。【００１９】  前記転写用紙９は、本実施例では前記下絵用紙３と同様に、前記転写用模様１にあわせた大きさで、例えばコピー用紙やトレーシングペーパ等を使用し、葉書、Ａ４、半紙等の様々な大きさの用紙を使用することができる。また、紙状のものでなく、前記転写用模様１が転写されれば、例えば皮、ガラス、布等を用いてもよい。この場合には、それぞれの素材に合わせて、前記複写具１０を変えて転写する。【００２０】  本発明の塗り絵等の作成方法で使用する前記塗り絵等の作成用具５は、図６および図７に示すように、塗り絵等の作成方法の、絵や文字等の前記転写用模様１が描かれた、あるいは複写された前記下絵用紙３を固定状態で置き、該下絵用紙３の裏面を、該転写用模様１の形状や輪郭等を映すことができるように処理できる光を透過あるいは反射しやすい色、本実施例では白色のほぼ四角形状の前記処理板６と、この処理板６に設けられた、前記下絵用紙３や転写用紙９を固定的に取り付けることができる長さ寸法のある固定具としてのクリップ１４と、前記下絵用紙３の表面から前記転写用模様１上をなぞり、該転写用模様１を該転写用紙９に汚れなく修正可能な状態で転写するペンや複写ペン等の前記複写具１０とで構成されている。【００２１】  前記処理板６は、本実施例では樹脂材製でほぼ四角形状に形成された、板状のもについて説明するが、本発明はこれに限らず、丸形状、三角形状、キャラクター形状等、使用者に使い勝手に合わせて成型が可能である。
また、前記転写準備工程８で、前記下絵用紙３を裏にして、該転写用模様１の形状や輪郭等を映すことができるように、該処理板６は、光を透過あるいは反射しやすい色、本実施例では白色で成型された処理板６を用いることについて説明したが、前記下絵用紙３を前記処理板６上に固定状態で置き、前記下絵用紙３の裏面から表面に描かれている、あるいは複写されている前記転写用模様１を識別できる状態で見ることができれば、白系統色、黄色系統色、淡い色の系統色等で着色成型された処理板も使用することができる。【００２２】  前記複写具１０は、ペンや複写ペン等で前記転写用模様１をなぞり、裏面に付着している鉛筆の粉末部位が、該複写具１０の筆圧によって前記転写用紙に転写される。本実施例では、インクを抜いたボールペンを使用することによって、ペン先のボールが該転写用模様１を均等に複写することができるとともに、該転写用模様１は、インクが出ないボールペンを使用することによって汚れないので、きれいな状態で何回も使用することができる。
また、本発明の複写具１０として、図示はしないが、３色、４色等がセットになっているペンやボールペン、ノック式のボールペン等の一本を塗り絵用あるいは縁取り用のインクのない、あるいは出ない複写具１０をセットにしたものを使用してもよい。【００２３】  上記構成の塗り絵等の作成方法は、図２ないし図５に示すように、下絵準備工程４によって、転写用模様１を下絵用紙３に転写可能な状態で描くあるいは複写した後、転写用模様１が複写された下絵用紙３を裏にした状態で、作成用具５の処理板６の上にクリップ１４を介して固定状態で設ける。
しかる後、表面に複写された転写用模様１に対応する下絵用紙３の裏面上を鉛筆７でこすり、作成用具５の処理板６の上に、使用者が描きたい転写用紙９、その上に下絵用紙３の裏面を重ねてクリップ１４で固定し、下絵用紙３の表面から転写用模様１の輪郭線や形状等の上を作成用具５の複写具１０でなぞって、転写用模様１を転写用紙９に汚れなく修正可能な状態で転写する。
下絵用紙３をクリップ１４から取り外し、転写された転写用模様１に色付けや清書等を施すとともに、処理された転写用模様１以外の部位を消しゴム１２で消して転写用模様を完成させる。【００２４】  なお、前記塗り絵等の作成用具５の実際の商品化に当たっては、一例として図８に示すように、下絵用紙、複写用紙、作成用具５等をセットとすることにより、使用者は、該セットを購入するだけで、使用者自身が塗り絵道具等を準備することなく簡単に塗り絵を楽しむことができる。
また、商品として、着色材としての絵の具やパステルクレヨン、簡易額縁等をセットにしてもよい。
｛発明を実施するための異なる形態｝【００２５】  次に、図９ないし図１１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２６】  図９に示す本発明を実施するための第２の形態において、前記本発明を実施するための最良の第１の形態と主に異なる点は、前記転写用模様１が文字である点で、このように構成した転写用模様１Ａを用いた塗り絵等の作成方法にしても、前記本発明を実施するための最良の第１の形態と同様な作用効果が得られるとともに、美しく、バランスの取れた字の書き方を効率よく学習することができる。
本実施例では、例えば図９に示すように、挨拶文の転写用模様１Ａを用いたものについて説明しているが、文章のみなならず、言葉、デザインされた文字、ローマ字、外国語等を用いてもよい。
【実施例３】
【００２７】  図１０に示す本発明を実施するための第３の形態において、前記本発明を実施するための第２の形態と主に異なる点は、絵や文字等の転写用模様１を拡大や縮小等をして複数枚の下絵用紙、本実施例では２枚の下絵用紙３、３に描くあるいは複写する下絵準備工程４Ａを備えた点で、このような塗り絵等の作成方法にしても、前記本発明を実施するための第２の形態と同様な作用効果が得られる。
なお、複数枚の前記下絵用紙３、３は、全て絵の転写用模様１、全て文字の転写用模様１Ａ、あるいは絵や文字等の転写用模様１、１Ａが選択的に描かれる、あるいは複写されてもよく、２枚に限定することなく何枚でもよい。
また、本実施例では、１枚の下絵用紙３に１つの転写用模様１が複写されているものについて説明したが、本発明はこれに限らず、１枚の下絵用紙３に複数個の絵や文字等の転写用模様１を選択的に描いても、あるいは複写されていてもよい。この場合、例えば、挨拶状や年賀状等の下絵用紙として用いることができる。
【実施例４】
【００２８】  図１１に示す本発明を実施するための第４の形態において、前記本発明を実施するための最良の第３の形態と主に異なる点は、絵や文字等の転写用模様１を拡大や縮小等をして複数枚の下絵用紙３、３、３・・・・・に描くあるいは複写し、冊子状態にする下絵準備工程４Ｂを備えた点で、このような塗り絵等の作成方法にしても、前記本発明を実施するための第３の形態と同様な作用効果が得られる。
なお、図示はしないが、各下絵用紙間に、複写用紙を挟着固定されていてもよく、各下絵用紙、書く複写用紙はミシン目等を介して取外し可能に設けられていてもよい。【００２９】  なお、前記本発明の異なる実施の形態では主に第１の実施の形態を基にして説明したが、本発明はこれに限らず、各実施の形態に使用された構成を任意に組み合わせて使用しても同様な作用効果が得られる。
【産業上の利用可能性】
【００３０】  本発明は塗り絵等の作成方法を利用する産業、ならびに塗り絵等の作成用具を製造、使用する産業等で利用される。
【図面の簡単な説明】
【００３１】
【図１】本発明を実施するための最良の第１の形態の工程図。
【図２】本発明を実施するための最良の第１の形態の下絵準備工程の概略説明図。
【図３】本発明を実施するための最良の第１の形態の転写準備工程の概略説明図。
【図４】本発明を実施するための最良の第１の形態の転写工程の概略説明図。
【図５】本発明を実施するための最良の第１の形態の塗り絵完成工程の概略説明図。
【図６】本発明を実施するための最良の第１の形態の塗り絵等の作成用具の平面図。
【図７】本発明を実施するための最良の第１の形態の塗り絵等の作成用具の拡大側面図。
【図８】本発明を実施するための最良の第１の形態の塗り絵等の作成用具セットの説明図。
【図９】本発明を実施するための第２の形態の下絵用紙の説明図。
【図１０】本発明を実施するための第３の形態の下絵準備工程の概略説明図。
【図１１】本発明を実施するための第４の形態の下絵準備工程の概略説明図。
【符号の説明】
【００３２】１、１Ａ：転写用模様、                      ２：複写機、
３：下絵用紙、                              ４、４Ａ、４Ｂ：下絵準備工程、
５：塗り絵等の作成用具、                    ６：処理板、
７：鉛筆、                                  ８：転写準備工程、
９：転写用紙、                              １０：複写具、
１１：転写工程、                            １２：消しゴム、
１３：塗り絵完成工程、                      １４：クリップ。
【図１】
2007140421.tif 000003
【図２】
2007140421.tif 000004
【図３】
2007140421.tif 000005
【図４】
2007140421.tif 000006
【図５】
2007140421.tif 000007
【図６】
2007140421.tif 000008
【図７】
2007140421.tif 000009
【図８】
2007140421.tif 000010
【図９】
2007140421.tif 000011
【図１０】
2007140421.tif 000012
【図１１】
2007140421.tif 000013
【手続補正書】
【提出日】平成18年4月8日(2006.4.8)
【手続補正１】
【補正対象書類名】特許請求の範囲
【補正対象項目名】請求項３
【補正方法】変更
【補正の内容】
【請求項３】
前記転写準備工程は、絵や文字等の転写用模様が描かれたあるいは複写された下絵用紙を裏にして、塗り絵等の作成用具の処理板の上に固定状態で置き、該転写用模様の形状や輪郭等を映すことができるように鉛筆でこすることを特徴とする請求項第１項、第２項のいずれかに記載の塗り絵等の作成方法又は、パソコン画面に輪郭線を転写し色を装飾する等の作成方法。
【手続補正２】
【補正対象書類名】特許請求の範囲
【補正対象項目名】請求項４
【補正方法】変更
【補正の内容】
【請求項４】
前記転写工程は、前記転写準備工程で、塗り絵等の作成用具の処理板の上に固定状態で置かれた、使用者が描きたい転写用紙の上に、処理した前記下絵用紙の裏面重ねて、前記下絵用紙の表面から転写用模様上を、塗り絵等の作成用具のペンや複写ペン等の複写具でなぞって、該転写用模様を該転写用紙に汚れなく修正可能な状態で転写することを特徴とする請求項第１項、第２項のいずれかに記載の塗り絵等の作成方法又は、パソコン画面に輪郭線を転写し色を装飾する等の作成方法。
【手続補正３】
【補正対象書類名】明細書
【補正対象項目名】００１９
【補正方法】変更
【補正の内容】
【００１９】  前記転写用紙９は、本実施例では前記下絵用紙３と同様に、前記転写用模様１にあわせた大きさで、例えばコピー用紙やトレーシングペーパ等を使用し、葉書、Ａ４、半紙等の様々な大きさの用紙を使用することができる。また、紙状のものでなく、前記転写用模様１が転写されれば、例えば皮、ガラス、布等を用いてもよい。この場合には、それぞれの素材に合わせて、前記複写具１０を変えて転写する又は、パソコンを用い輪郭線を転写する